(57)【要約】【課題】            長尺体の径の変化に対応することができ、かつ長尺体の着脱が容易に行える長尺体保持具を提供すること。【解決手段】        ベース板２に長尺体３を保持する保持部４と該保持部４を被固定部材５に固定する固定部６とを備えた長尺体保持具１において、該保持部４はバンド７を取り付けるロック部９と該ロック部９に取り付けられ、複数の係止部８を有するバンド７とからなり、前記ロック部９にはベース板２に該バンド７の一端（差込端）１３が差し込まれてバンド７の係止部８を着脱自在に固定する第一のロック機構１０と前記バンド部７の差込端１３と反対側の他端を着脱自在に係止する第二のロック機構１１とを形成してなる。【選択図】          図１
2006081359.tif 000002
【特許請求の範囲】
【請求項１】
ベース板に長尺体を保持する保持部と該保持部を被固定部材に固定する固定部とを備えた長尺体保持具において、該保持部はバンドを取り付けるロック部と該ロック部に取り付けられ、複数の係止部を有するバンドとからなり、前記ロック部にはベース板に該バンドの一端（差込端）が差し込まれてバンドの係止部を着脱自在に固定する第一のロック機構と前記バンドの差込端と反対側の他端を着脱自在に係止する第二のロック機構とを形成してなることを特徴とする長尺体保持具。
【請求項２】
前記バンドの差込端と反対側の他端には略Ｖ字状の折り返し部を設け、その折り返し部よりさらに先端部の外側に係止爪を設けるとともに、前記第二のロック機構には、前記バンドの折り返し部が押し込まれる貫通孔と貫通孔周縁に前記係止爪が係止される係止段部を形成した請求項１記載の長尺体保持具。
【請求項３】
前記第一のロック機構には、上向きにバンド出口溝を形成した請求項１または２に記載の長尺体保持具。
【請求項４】
前記ベース板の第一の隆起部と反対側には、長さ方向にバンドが挿通する挿通孔を備えた第二の隆起部が設けられた請求項１から３のいずれかに記載の長尺体保持具。
【請求項５】
前記固定部は、前記ベース板から垂設され、軸方向に係止羽根を形成した差込脚を備えた請求項１から４のいずれかに記載の長尺体保持具。
【請求項６】
前記ベース板の下部に溝を形成した請求項１から５のいずれかに記載の長尺体保持具
【発明の詳細な説明】
【技術分野】
【０００１】
本発明は、例えば、シャーシやパネル等の被固定部材に配線や配管等の長尺部材を固定する長尺体保持具に関する。
【背景技術】
【０００２】
従来、電線等の長尺体を被固定部材に固定するため様々な保持具が使用されている。このような保持具は、長尺体を保持する保持部と該保持部をシャーシ等の被固定部材に固定するため保持部の下方に一体に形成された固定部とを備えており、被固定部材の予め開口された取付孔に前記固定部を差し込んだり、あるいは両面テープにより接着したりして固定することで、保持具を被固定部材に固定していた。
【０００３】
具体的には、例えば、特許文献１に記載されているように基台と一体で弾性Ｃ形帯板と起立片を形成し、さらに該弾性Ｃ形帯板の先端部に引掛片を有する係止片を形成するとともに基台の裏面に被固定部材との固定部を形成したものがあり、このものは係止片と起立片の間から電線を入れ、弾性Ｃ形帯板を基台に向けて押し下げて、引掛片と起立片の受け爪を係合させて、電線を弾性Ｃ形帯板内に保持するようになっている。
【０００４】
一方、特許文献２や特許文献３に記載されているように、複数の係止部を有するバンドと該バンドの差込端を挿入可能に形成され該バンドの係止部を係止させる突起を有するバンド固定部とをベース板に一体に形成した長尺体の保持部を形成し、さらにベース板に一体に差込脚（被固定部材との固定手段）を形成したものがある。
【０００５】
【特許文献１】実公平２−１８３８９号公報
【特許文献２】実開昭６４−４０２２８号公報
【特許文献３】実開平１−１１６５２０号公報
【発明の開示】
【発明が解決しようとする課題】
【０００６】
しかしながら、上記特許文献１に記載された保持具は、１つのサイズで取り付けできる長尺体の径の範囲が限られているために、径の変化に対応するため多種のサイズを用意する必要があった。一方、特許文献２，３に記載されたものは、長尺体の保持部に複数の係止部を有するバンドを備えているので、長尺体の径の変化に対応することができたものの、取り外す必要が生じたときにバンドの係止部と係止部に噛み合う突起との係止を外すための操作に手間がかかるという問題があった。
【０００７】
本発明は、このような従来の長尺体保持具を改良することを課題とするものであり、長尺体の径の変化に対応することができ、かつ長尺体の着脱が容易に行える長尺体保持具を提供することをその目的とする。
【課題を解決するための手段】
【０００８】
この目的を達成するため、本発明は、ベース板に長尺体を保持する保持部と該保持部を被固定部材に固定する固定部とを備えた長尺体保持具において、該保持部はバンドを取り付けるロック部と該ロック部に取り付けられ、複数の係止部を有するバンドとからなり、前記ロック部にはベースに該バンドの一端（差込端）が差し込まれてバンドの係止部を着脱自在に固定する第一のロック機構と前記バンドの差込端と反対側の他端を着脱自在に係止する第二のロック機構とを形成してなることを特徴とする。
【０００９】
この構成によれば、バンドの差込端と反対側の他端を着脱自在に固定できるようにしているので、手間がかかるバンド部の係止部と第一のロック機構とのロック解除操作を行うことなく、バンドの差込端と反対側の他端から簡便に保持部を開くことができる。
【００１０】
前記バンドの差込端と反対側の他端には略Ｖ字状の折り返し部を設け、その折り返し部よりさらに先端部の外側に係止爪を設けるとともに、前記第二のロック機構には、前記バンドの折り返し部が押し込まれる貫通孔と貫通孔周縁に前記係止爪が係止される係止段部を形成することができる。
【００１１】
この構成によれば、バンドの差込端と反対側の他端を着脱自在に固定することができる。
【００１２】
前記第一のロック機構には、上向きにバンド出口溝を形成することが望ましい。
【００１３】
前記バンドの差込端がバンド出口溝から上向きにはみ出すことにより、面積的な省スペース化を達成することができる。
【００１４】
また、前記ベース板のロック部と反対側には、長さ方向にバンドが挿通する挿通孔を備えた隆起部が設けることが望ましい。
【００１５】
この構成によれば、バンドの差込縁を隆起部を通してからベース板の隆起部と反対側のロック部に挿通してバンドを固定できるので、隆起部とロック部の間隔分だけロック部からはみ出すバンドの長さが少なくなり、邪魔になりにくい。
【００１６】
また、前記固定部は、ベース板から垂設され、軸方向に左右に位置を変えて多段に係止羽根を形成する差込脚を備えることが望ましい。
【００１７】
この構成により、被固定部材に予め穿設された取付孔がタップ孔やネジ孔の場合であっても、係止羽根の先端がネジの溝に噛み合ってより高い保持力を得ることができる。
【００１８】
また、前記ベース板の下部に引き抜き用溝を形成することが望ましい。
【００１９】
この構成により、被固定部材に穿設された取付孔に差込脚を差し込んで固定した長尺体保持具を、引き抜き用溝にマイナスドライバー等の工具を差し込んでベース板ごと引き抜くことができる。
【発明の効果】
【００２０】
本発明にかかる長尺体保持具は、複数の係止部を有するバンドとバンドの係止部を固定するロック機構を備えているので長尺体の径の変化に対応することができ、かつバンドの差込端と反対側の他端を着脱自在に係止する第二のロック機構を備えているので、長尺体の着脱が容易に行える長尺体保持具を提供することができる。
【発明を実施するための最良の形態】
【００２１】
次に、本発明の好適な実施の形態にかかる長尺体保持具について図面を参照して説明する。
【００２２】
図１は、本発明の実施の形態にかかる長尺体保持具の使用状態の分解斜視図、図２は同斜視図、図３は、図１に示す長尺体保持具の正面図、図４は、図１に示す長尺体保持具のバンドの正面図、図５は図４の正面図、図６は図５のＡ−Ａ断面図であり、図７は、図１に示す長尺体保持具のベース部の正面図、図８は図７の平面図、図９は図８のＢ−Ｂ断面図であり、図１０は、図３のロック部を部分的に破断して示す説明図である。
【００２３】
この長尺体保持具１は、ベース板２に長尺体３を保持する保持部４と該保持部４を被固定部材５に固定する固定部６とを備えたものであって、該保持部４は複数の係止部８を有するバンド７を取り付けてなるとともに、ベース板２に該バンド７の一端（差込端）１３が差し込まれてバンドの係止部８を着脱自在に固定する第一のロック機構１０と前記バンド部８の差込端と反対側の他端を係止する第二のロック機構１１とからなるロック部９を形成してなるものである。
【００２４】
２は、適度の弾性を有するプラスチック（例えばポリアミド）からなる平板状のベースであって、ベース板２上に、後述する第一のロック機構１０と第二のロック機構１１を一体に形成し、上記両ロック機構により複数の係止部８を有するバンド７を取り付けている。このバンド部７と第一のロック機構１０と第二のロック機構１１とで長尺体の保持部４を構成している。
【００２５】
図４、図５、図６に示したように前記バンド７は、一端に係止部８を第一のロック機構１０に導くための差込縁１３を形成するとともに、差込縁１３と反対側の他端に略Ｖ字状に折り返し部１４を設けて、その折り返し部１４よりさらに先端側の立ち上がり部分の外側に係止爪１５を設け、さらに係止爪１５より先端側に開放端の一部が外側に折り曲げられた操作片１６を形成している。なお、折り返し部１４の手前の幅を所定長さ拡大した拡大部１７を形成するとともに、操作片１６の折り曲げた先端部の幅も拡大するように形成している。この操作片１６を指で押してバンド７の拡大部１７に向けて接近させると、折り返し部１４が弾性変形して、係止爪１５がバンドの拡大部１７に接近する方向、すなわち折り返し部１４のＶ字が狭くなる方向に移動する。
【００２６】
図７、図８、図９に示したようにベース板２上に形成された第二のロック機構１１は、ベース板２上にバンド７の帯部１９が挿通可能な幅で垂設された二本の支柱部２０，２１と、二本の支柱部２０，２１をつなぐ仕切り壁２２と、仕切り壁２２と支柱部２０，２１の先端を外側に折り曲げて形成した受け板部２４とを備えていて、受け板部２４の折り曲げ部２６近傍にはバンド７の折り返し部１４を弾性変形させて挿入できる間隔に貫通孔２７を形成している。この貫通孔２７の折り曲げ部２６側には前記バンド７の拡大部１７を挿通する、幅が拡大された溝部２８を形成している。さらに貫通孔２７の折り曲げ部２６（溝部２８）と反対側下方にバンド７の係止爪１５が係止する係合段部２９を形成して、バンド７の折り返し部１４を貫通孔２７に押し込むことにより、折り返し部１４が弾性復元した後、図１０に示したように係止爪１５は、ベース２上に一体に形成された係合段部２９と係止するように形成される。仕切り壁２２の下方には、バンド７の帯部１９がベース板２の長手方向に挿通可能な挿通孔３０を形成している。
【００２７】
第一のロック機構１０は、受け板部２４の前記貫通孔２７よりも外側に設けられるバンド出口溝３２と、貫通孔２７とバンド出口溝３２の間に下方に伸びる仕切り片３３と、ベース板２上に前記仕切り片３３の外側の位置に仕切り片３３に対向して設けられ、前記バンド７の複数の係止部８と噛み合う係止突部３５を有する弾性係止片３４とからなる。弾性係止片３４の先端には外側に上方に向けて解除レバー３９を延設するとともに、弾性係止片３４の下方部にはヒンジ４０を形成して、指で押すことにより解除レバー３９を容易に外側に倒すことができるように構成している。仕切り片３３と弾性係止片３４の係止突部３５との間隔は、バンド７の厚さより小さく形成されていて、挿通孔３０を通してから差し込まれたバンド７の帯部１９を弾性係止片３４と仕切り片３３の間に押し込むことにより、弾性係止片３４が外側に弾性変形し、バンド７の帯部１９が挿通可能になり、やがて係止部８と係止突部と３５噛み合った後弾性復元することにより、図１０に示したように弾性係止片３４の係止突部３５とバンド７の係止部８が係止するように形成している。バンド７の差込端１３側は、弾性係止片３４と仕切り片３３の間を通過した後、バンド出口溝３２から上方に向けて突出する。このようにバンド７がバンド出口溝３２から上方に向けてはみ出すことにより、面積的な省スペース化を達成することができる。
【００２８】
また、ベース板２には弾性係止片３４の長手方向外側に倒れ（破損）防止片５０を突出形成して、弾性係止片３４に倒れる方向に力がかかったときに、必要以上に倒れることを防止している。さらに、ベース板２には弾性係止片３４の長手方向内側にガイド片５１を突出形成して、挿通孔３０を通して差し込まれたバンド７の差込端１３を弾性係止片３４と仕切り片３３の間に押し込むことができるようにしている。
【００２９】
また、ベース板２のロック部９と反対側には、長さ方向にバンド７が挿通する挿通孔３８を備えた隆起部３７が設けられている。バンド７の差込縁１３を隆起部３７の挿通孔３８を通してからベース板２の隆起部３７と反対側のロック部９に挿通してバンド７を固定できるので、隆起部３７とロック部９の間隔分だけロック部９からはみ出すバンド７の長さが少なくなり、邪魔になりにくい。
【００３０】
なお、バンド７の差込端１３の手前には前記ベース板２の挿通孔３０より高さが大きくなるように湾曲部５３が設けられていて、差込端１３を挿通孔３０を通過させたときに挿通孔３０により湾曲部５３がつぶれて変形して、その結果差込端１３が跳ね上がって確実に弾性係止片３４と仕切り片３３の間に挿通させるように形成されている。
【００３１】
固定部６は、ベース板２から垂設され、被固定部材５に穿設される取付孔４１に挿入される差込脚４２であって、該差込脚４２は軸４３と軸方向多段に形成される係止羽根４４からなる。係止羽根４４は軸４３の軸線と直向する線に対し所定角度上向きに形成される。被固定部材５がパーテイクルボードの場合、取付孔４１に差し込むことにより多段に形成された係止羽根４４が圧入方向と反対に弾性変形して取付孔４１の内面に圧接して高い保持力を得ることができる。係止羽根４４は左右でその位置を異ならせているが、取付孔４１がネジ穴やタップ孔の場合に係止羽根４４の先端がネジの溝に噛み合って高い保持力を得ることができるようにしている。
【００３２】
また、前記ベース板２の下部の差込脚４２周辺に引き抜き用溝４６を形成することが望ましい。被固定部材５に穿設された取付孔４１に差込脚４２を差し込んで固定した長尺体保持具１を、被固定部材５から取り外す必要が生じた場合に、引き抜き用溝４６にマイナスドライバー等の工具を差し込んでベース板２ごと引き抜くことができる。
【００３３】
本発明の長尺体保持具１を用いてケーブル等の長尺体３を保持する場合には、図１に示したように、まずバンド７の差込縁１３を外側から第二の隆起部２５の挿通孔３８を通した後、さらに仕切り壁２２の下の挿通孔３０を通して弾性係止片３４と仕切り片３３の間に導き、バンド７の係止部８を弾性係止片３４の係止突部３５と噛み合わせて係止させておく。次に通したバンド７上にケーブル等の長尺体３をのせる。それからバンド部７で長尺体３を包持しつつバンド部７の折り返し部１４を第一のロック機構の貫通孔２７に押し込み、係止爪１５を係止段部２９に係止させて図２に示したように長尺体３の結束を完了させる。それから、図３に示したようにバンド７の差込端１３側を上方に引いて１ピッチ毎に係止部８と係止突部３５が噛み合ってロックし、ケーブル等の長尺体の束線径を可変できる。
【００３４】
ケーブル等の長尺体３を取り外す必要が生じた場合には、操作片１６を内方に押して係止爪１５と係止段部２９の係止を解除することにより、容易に長尺体３を取り外すことができる。束線径を変える（長尺体の数を増やす）場合には、同様な操作で係止爪１５と係止段部２９の係止を解除して長尺体をバンド７にのせ直すとともに、解除レバー３９を指で押して弾性係止片３４を外側に向けて倒して係止突部３５とバンド７の係止部８とのロックを解除してバンド７を束線径が大きくなるように緩めて（引き戻して）から、再びバンド７の折り返し部１４を第一のロック機構１０の貫通孔２７に押し込み、係止爪１５を係止段部２９に係止させて長尺体３の結束を完了させるとともに、バンド７の差込端１３側を上方に引いてバンド７の係止部８と弾性係止片３４の係止突部３５を噛み合せてロックしつつ束線径を可変する。
【００３５】
本発明は、上記実施例に限られるわけではなく、例えば固定部６は上記実施例においては被取付部材５に穿設される取付孔４１に挿入される差込脚４２であって、差込脚４２は軸方向多段に形成される係止羽根４４によるものを例示したが、これに限らず矢じり形等の公知の形状であっても良く、また、差込脚に代えてベース板２に両面テープ等の接着剤を設けて、接着剤で取り付けても良い。
【図面の簡単な説明】
【００３６】
【図１】本発明の実施の形態にかかる長尺体保持具の使用状態の分解斜視図である。
【図２】本発明の実施の形態にかかる長尺体保持具の斜視図である。
【図３】図１に示す本発明の実施の形態にかかる長尺体保持具の正面図である。
【図４】図１に示す本発明の実施の形態にかかる長尺体保持具のバンド部の正面図である。
【図５】図４の平面図である。
【図６】図５のＡ−Ａ断面図である。
【図７】図１に示す本発明の実施の形態にかかる長尺体保持具のベースの正面図である。
【図８】図７の平面図である。
【図９】図８のＢ−Ｂ断面図である。
【図１０】図３のロック部を部分的に破断して示す説明図である。
【符号の説明】
【００３７】
１  長尺体保持具
２  ベース
３  長尺体
４  保持部
５  被固定部材
６  固定部
７  バンド
８  係止部
９  ロック部
１０  第一のロック機構
１１  第二のロック機構
１３  差込端
１４  折り返し部
１５  係止爪
１６  操作片
１７  拡大部
２７  貫通孔
２９  係止段部
３０  挿通孔
３２  バンド出口溝
３４  弾性係止片
３７  隆起部
３８  挿通孔
３９  解除レバー
４１  取付孔
４２  差込脚
４４  係止羽根
４６  引き抜き用溝
【図１】
2006081359.tif 000003
【図２】
2006081359.tif 000004
【図３】
2006081359.tif 000005
【図４】
2006081359.tif 000006
【図５】
2006081359.tif 000007
【図６】
2006081359.tif 000008
【図７】
2006081359.tif 000009
【図８】
2006081359.tif 000010
【図９】
2006081359.tif 000011
【図１０】
2006081359.tif 000012